(57)【要約】【課題】イベント会場とほぼ同じ臨場感でイベントをより多くの人が楽しむことができるイベント実施システムを提供する。【解決手段】イベント実施システムは、イベント会場に設置され、該イベント会場で実際に行われているイベントの映像および音声をリアルタイムで発信可能なイベント会場システム２−１、２−２と、互いに異なるネットライブ場に設置され、イベント会場システム２−１、２−２により発信された映像および音声を再生する再生装置を含む複数のネットライブ場システム３−１、３−２、３−３と、イベント会場システム２−１、２−２と複数の再生装置とに接続され、映像および音声をリアルタイムに伝達可能な広帯域網１とを含む。【選択図】        図１
2004336175.tif 000002
【特許請求の範囲】
【請求項１】
イベント会場に設置され、該イベント会場で実際に行われているイベントの映像および音声をリアルタイムで発信可能なイベント会場システムと、
互いに異なるネットライブ場に設置され、前記イベント会場システムにより発信された映像および音声を再生する複数の再生装置と、
前記イベント会場システムと前記複数の再生装置とに接続され、前記映像および音声をリアルタイムに伝達可能な通信ネットワークと
を備えたことを特徴とするイベント実施システム。
【請求項２】
請求項１に記載のイベント実施システムにより実施されるイベントを管理するイベント管理システムであって、
前記イベント会場および前記ネットライブ場に関する情報であって、少なくとも前記イベントの開催スケジュールと指定席の予約状況とを含む情報を記録したライブ会場データベースと、
前記イベントの主催者により利用されるイベント主催者システムから、新たなイベントに関する情報を受信するイベント情報受信手段と、
該イベント情報受信手段により受信した新たなイベントに関する情報に基づき、該新たなイベントを実施するための前記イベント会場および前記ネットライブ場に関する情報を前記ライブ会場データベースから選択するライブ会場データ選択手段と、
該ライブ会場データ選択手段により選択された前記ライブ会場データベース内の新たなイベントを実施するための前記イベント会場および前記ネットライブ場に関する情報を更新する更新手段と
を備えたことを特徴とするイベント管理システム。
【請求項３】
請求項２に記載のイベント管理システムにおいて、
前記新たなイベントに関する情報は前記イベント会場の指定に関する情報を含み、
前記ライブ会場データ選択手段により選択された前記開催スケジュールに基づき、前記イベント情報受信手段により受信されたイベント会場が使用可能か否かを判定する手段を更に備えたことを特徴とするイベント管理システム。
【請求項４】
請求項３に記載のイベント管理システムにおいて、
前記新たなイベントに関する情報は前記ネットライブ場の指定に関する情報を更に含み、
前記ライブ会場データ選択手段により選択された前記開催スケジュールに基づき、前記イベント情報受信手段により受信されたネットライブ場が使用可能か否かを判定する手段を更に備えたことを特徴とするイベント管理システム。
【請求項５】
請求項４に記載のイベント管理システムにおいて、
過去に実施されたイベントに関する情報を記録したイベント履歴データベースを更に備え、
前記ライブ会場データ選択手段は前記イベント情報受信手段により受信された前記新たなイベントに関する情報に基づき前記イベント履歴データベースを検索して前記新たなイベントと関連のある前記過去に実施されたイベントを判断し、該判断されたイベントに対応する前記イベント会場および前記ネットライブ場に関する情報を前記ライブ会場データベースから選択することを特徴とするイベント管理システム。
【請求項６】
請求項５に記載のイベント管理システムにおいて、
前記イベント会場に関する情報または前記ネットライブ場に関する情報を前記新たなイベントに関する情報に含めるか否かは前記イベント主催者システムから選択可能であることを特徴とするイベント管理システム。
【請求項７】
請求項２ないし６のいずれかに記載のイベント管理システムにおいて、
会員により使用される会員端末から前記イベントへのチケットの予約または購入の要求を受信する要求受信手段と、
該要求受信手段により受信した要求に基づいて前記ライブ会場データベース内の予約状況を更新する更新手段と
を更に備えたことを特徴とするイベント管理システム。
【請求項８】
請求項７に記載のイベント管理システムにおいて、
前記予約または購入の要求は前記イベント会場または前記ネットライブ場の観客席の指定を含み、
前記ライブ会場データベース内の指定席の予約状況に基づき、前記要求受信手段により受信した指定に対応する観客席に空席があるか否かを判定する手段を更に備えたことを特徴とするイベント管理システム。
【請求項９】
請求項８に記載のイベント管理システムにおいて、
前記会員に関する情報を記録した会員データベースと、
前記要求受信手段により受信した予約または購入の要求に基づいて前記会員データベースから対応する会員に関する情報を選択する会員データ選択手段と、
該会員データ選択手段により選択された会員に関する情報に基づき前記ライブ会場データベースから前記ライブイベント会場または前記ネットライブ場を選択する手段と
を更に備えたことを特徴とするイベント管理システム。
【請求項１０】
請求項９に記載のイベント管理システムにおいて、
前記要求受信手段により受信した予約または購入の要求に前記イベント会場またはネットライブ場の提案の要求が含まれている場合、前記会員データ選択手段により選択された会員情報に基づき、前記ライブ会場データベースから複数のイベント会場またはネットライブ場に関する情報を選択する提案情報選択手段と、
該提案情報選択手段により選択された複数のイベント会場またはネットライブ場に関する情報を送信する提案手段と
を更に備えたことを特徴とするイベント管理システム。
【請求項１１】
請求項１０に記載のイベント管理システムにおいて、
前記観客席の指定または前記提案の要求を前記予約または購入の要求に含めるか否かは前記会員端末から選択可能であることを特徴とするイベント管理システム。
【請求項１２】
請求項７ないし１１のいずれかに記載のイベント管理システムにおいて、前記ライブ会場データベースに記録された前記ネットライブ会場へのチケットの予約状況に応じて、新たなネットライブ場に関する情報を作成する作成手段と、
該作成手段により作成されたネットライブ場に関する情報を前記ライブ会場データベースに登録する登録手段と
を更に備えたことを特徴とするイベント管理システム。
【請求項１３】
請求項１２に記載のイベント管理システムにおいて、
前記登録手段による登録に応じて前記新たなネットライブ場の開設を前記会員端末へ通知する通知手段を更に備えたことを特徴とするイベント管理システム。
【請求項１４】
イベント会場に設置され、該イベント会場で実際に行われているイベントの映像および音声をリアルタイムで発信可能なイベント会場システムと、互いに異なるネットライブ場に設置され、前記イベント会場システムにより発信された映像および音声を再生する複数の再生装置とが、前記映像および音声をリアルタイムに伝達可能な広帯域ネットワークに接続されたイベント実施システムを、コンピュータを用いて管理するイベント管理方法であって、前記コンピュータは、前記イベント会場および前記ネットライブ場に関する情報であって、少なくとも前記イベントの開催スケジュールと予約状況とを含む情報を記録したライブ会場データベースを有し、
前記イベントの主催者により利用されるイベント主催者システムから、新たなイベントに関する情報を受信するステップと、
該受信ステップにおいて受信した新たなイベントに関する情報に基づき、該新たなイベントを実施するための前記イベント会場および前記ネットライブ場に関する情報を前記ライブ会場データベースから選択するステップと、
該選択ステップにおいて選択された前記ライブ会場データベース内の新たなイベントを実施するための前記イベント会場および前記ネットライブ場に関する情報を更新する更新ステップと
を備えたことを特徴とするイベント管理方法。
【発明の詳細な説明】
【０００１】
【発明の属する技術分野】
本発明は、イベント実施システム、イベント管理システムおよびイベント管理方法に関し、より詳細には、高臨場感が得られるイベントをネットライブ場で実施するイベント実施システム、そのイベントへのチケットの予約、販売を行うイベント管理システムおよびそのイベント管理方法に関する。
【０００２】
【従来の技術】
野球やサッカー等のスポーツを競技場で観たり、あるいはコンサート会場に出向いてライブ演奏を楽しんだりするスポーツファンや音楽ファンは数多くいる。一般に、このようなスポーツやコンサート等のイベントは、イベントの主催者側により用意されたチケットを購入し、そのイベントが開催されるイベント会場へ出向くことになる。
【０００３】
また、従来から知られているイベントは、イベント会場に見合った規模でイベント開催者側で企画されている。
【０００４】
【発明が解決しようとする課題】
しかしながら、上述した従来のイベント開催形式の場合、イベントへの参加希望者が目的とする競技場やコンサート会場までの距離、交通の混雑状況、あるいは参加希望者の体力等の種々の理由によって、簡単には競技場やコンサート会場に行くことができない場合があるという問題があった。
【０００５】
また、従来のイベント開催形式の場合、イベント会場の大きさにより販売可能なチケット数が制限される。このため、人気のある競技やコンサートであるほどチケットの入手が困難になるという問題があった。
【０００６】
一方、スポーツ競技やコンサート等を開催するイベント主催者側においては、イベント会場の大きさによって観客動員数が制限される。また、イベント会場への距離が遠い場合や、交通が混雑する場合等は、イベント会場への観客が減少してしまう。すなわち、イベントの採算が、イベント会場によって大きく左右されてしまう場合があるという問題があった。
【０００７】
本発明は、上記問題を鑑みてなされたものであり、その目的とするところは、通信ネットワークを用いてイベント会場とほぼ同じ臨場感でイベントをより多くの人が楽しむことができるイベント実施システム、そのイベントを管理するイベント管理システムおよびイベント管理方法を提供することにある。
【０００８】
【課題を解決するための手段】
このような目的を達成するために、請求項１に記載の発明は、イベント実施システムであって、イベント会場に設置され、該イベント会場で実際に行われているイベントの映像および音声をリアルタイムで発信可能なイベント会場システムと、互いに異なるネットライブ場に設置され、前記イベント会場システムにより発信された映像および音声を再生する複数の再生装置と、前記イベント会場システムと前記複数の再生装置とに接続され、前記映像および音声をリアルタイムに伝達可能な通信ネットワークとを備えたことを特徴とする。
【０００９】
また、請求項２に記載の発明は、請求項１に記載のイベント実施システムにより実施されるイベントを管理するイベント管理システムであって、前記イベント会場および前記ネットライブ場に関する情報であって、少なくとも前記イベントの開催スケジュールと指定席の予約状況とを含む情報を記録したライブ会場データベースと、前記イベントの主催者により利用されるイベント主催者システムから、新たなイベントに関する情報を受信するイベント情報受信手段と、該イベント情報受信手段により受信した新たなイベントに関する情報に基づき、該新たなイベントを実施するための前記イベント会場および前記ネットライブ場に関する情報を前記ライブ会場データベースから選択するライブ会場データ選択手段と、該ライブ会場データ選択手段により選択された前記ライブ会場データベース内の新たなイベントを実施するための前記イベント会場および前記ネットライブ場に関する情報を更新する更新手段とを備えたことを特徴とする。
【００１０】
また、請求項３に記載の発明は、請求項２に記載のイベント管理システムにおいて、前記新たなイベントに関する情報は前記イベント会場の指定に関する情報を含み、前記ライブ会場データ選択手段により選択された前記開催スケジュールに基づき、前記イベント情報受信手段により受信されたイベント会場が使用可能か否かを判定する手段を更に備えたことを特徴とする。
【００１１】
また、請求項４に記載の発明は、請求項３に記載のイベント管理システムにおいて、前記新たなイベントに関する情報は前記ネットライブ場の指定に関する情報を更に含み、前記ライブ会場データ選択手段により選択された前記開催スケジュールに基づき、前記イベント情報受信手段により受信されたネットライブ場が使用可能か否かを判定する手段を更に備えたことを特徴とする。
【００１２】
また、請求項５に記載の発明は、請求項４に記載のイベント管理システムにおいて、過去に実施されたイベントに関する情報を記録したイベント履歴データベースを更に備え、前記ライブ会場データ選択手段は前記イベント情報受信手段により受信された前記新たなイベントに関する情報に基づき前記イベント履歴データベースを検索して前記新たなイベントと関連のある前記過去に実施されたイベントを判断し、該判断されたイベントに対応する前記イベント会場および前記ネットライブ場に関する情報を前記ライブ会場データベースから選択することを特徴とする。
【００１３】
また、請求項６に記載の発明は、請求項５に記載のイベント管理システムにおいて、前記イベント会場に関する情報または前記ネットライブ場に関する情報を前記新たなイベントに関する情報に含めるか否かは前記イベント主催者システムから選択可能であることを特徴とする。
【００１４】
また、請求項７に記載の発明は、請求項２ないし６のいずれかに記載のイベント管理システムにおいて、会員により使用される会員端末から前記イベントへのチケットの予約または購入の要求を受信する要求受信手段と、該要求受信手段により受信した要求に基づいて前記ライブ会場データベース内の予約状況を更新する更新手段とを更に備えたことを特徴とする。
【００１５】
また、請求項８に記載の発明は、請求項７に記載のイベント管理システムにおいて、前記予約または購入の要求は前記イベント会場または前記ネットライブ場の観客席の指定を含み、前記ライブ会場データベース内の指定席の予約状況に基づき、前記要求受信手段により受信した指定に対応する観客席に空席があるか否かを判定する手段を更に備えたことを特徴とする。
【００１６】
また、請求項９に記載の発明は、請求項８に記載のイベント管理システムにおいて、前記会員に関する情報を記録した会員データベースと、前記要求受信手段により受信した予約または購入の要求に基づいて前記会員データベースから対応する会員に関する情報を選択する会員データ選択手段と、該会員データ選択手段により選択された会員に関する情報に基づき前記ライブ会場データベースから前記ライブイベント会場または前記ネットライブ場を選択する手段とを更に備えたことを特徴とする。
【００１７】
また、請求項１０に記載の発明は、請求項９に記載のイベント管理システムにおいて、前記要求受信手段により受信した予約または購入の要求に前記イベント会場またはネットライブ場の提案の要求が含まれている場合、前記会員データ選択手段により選択された会員情報に基づき、前記ライブ会場データベースから複数のイベント会場またはネットライブ場に関する情報を選択する提案情報選択手段と、該提案情報選択手段により選択された複数のイベント会場またはネットライブ場に関する情報を送信する提案手段とを更に備えたことを特徴とする。
【００１８】
また、請求項１１に記載の発明は、請求項１０に記載のイベント管理システムにおいて、前記観客席の指定または前記提案の要求を前記予約または購入の要求に含めるか否かは前記会員端末から選択可能であることを特徴とする。
【００１９】
また、請求項１２に記載の発明は、請求項７ないし１１のいずれかに記載のイベント管理システムにおいて、前記ライブ会場データベースに記録された前記ネットライブ会場へのチケットの予約状況に応じて、新たなネットライブ場に関する情報を作成する作成手段と、該作成手段により作成されたネットライブ場に関する情報を前記ライブ会場データベースに登録する登録手段とを更に備えたことを特徴とする。
【００２０】
また、請求項１３に記載の発明は、請求項１２に記載のイベント管理システムにおいて、前記登録手段による登録に応じて前記新たなネットライブ場の開設を前記会員端末へ通知する通知手段を更に備えたことを特徴とする。
【００２１】
また、請求項１４に記載の発明は、イベント会場に設置され、該イベント会場で実際に行われているイベントの映像および音声をリアルタイムで発信可能なイベント会場システムと、互いに異なるネットライブ場に設置され、前記イベント会場システムにより発信された映像および音声を再生する複数の再生装置とが、前記映像および音声をリアルタイムに伝達可能な広帯域ネットワークに接続されたイベント実施システムを、コンピュータを用いて管理するイベント管理方法であって、前記コンピュータは、前記イベント会場および前記ネットライブ場に関する情報であって、少なくとも前記イベントの開催スケジュールと予約状況とを含む情報を記録したライブ会場データベースを有し、前記イベントの主催者により利用されるイベント主催者システムから、新たなイベントに関する情報を受信するステップと、該受信ステップにおいて受信した新たなイベントに関する情報に基づき、該新たなイベントを実施するための前記イベント会場および前記ネットライブ場に関する情報を前記ライブ会場データベースから選択するステップと、該選択ステップにおいて選択された前記ライブ会場データベース内の新たなイベントを実施するための前記イベント会場および前記ネットライブ場に関する情報を更新する更新ステップとを備えたことを特徴とする。
【００２２】
【発明の実施の形態】
以下、図面を参照し、本発明の実施の形態について詳細に説明する。以下の説明において、用語「イベント会場」は、実際にイベントが開催されている会場を示すものとして使用される。また、用語「ネットライブ場」は、実際に開催されているイベントの映像および音声をリアルタイムで再生する場所を示し、通常のイベント会場に限らず、居住地やオフィス等の固定環境、会員の携帯端末に配信する場合等の移動環境をも含むものとして使用される。
【００２３】
図１は、本発明を適用した全体システムの構成を示すブロック図である。全体システムは、広帯域網１、イベント会場システム２−１、２−２、ネットライブ場システム３−１、３−２、３−３、ＩＰ（Ｉｎｔｅｒｎｅｔ  Ｐｒｏｔｏｃｏｌ）網４、イベント管理システム５、会員端末６−１、６−２（以下、「会員端末６」と略記する場合がある）、イベント主催者システム７から構成される。
【００２４】
広帯域網１は、映像コンテンツ情報（数Ｍｂｐｓ〜数百Ｍｂｐｓ）を低コストで多地点へ配信するＣＤＮ（Ｃｏｎｔｅｎｔ  Ｄｅｌｉｖｅｒｙ  Ｎｅｔｗｏｒｋ）等の、一定速度で音声や動画像をリアルタイムで伝達可能な通信ネットワークが使用される。例えば、東日本電信電話株式会社が東京２３区内でサービス提供している「Ｍｅｇａ  Ｌｉｖｅ」サービスを使用することができる。
【００２５】
ＩＰ網４は、パケット交換によるデータ通信を実現する通信ネットワークであり、例えばインターネットが使用される。
【００２６】
イベント管理システム５は、本実施形態に係る全体システムを利用して実施されるイベントを管理するためのコンピュータシステムであり、これはＩＰ網４に接続されている。このイベント管理システム５は、少なくとも処理装置５−１、ライブ会場データベース（ＤＢ）５−２、イベント履歴データベース５−３および会員データベース５−４を含んでいる。処理装置５−１は、コンピュータで行う全ての仕事を処理するものであり、ＣＰＵの他、ＲＯＭ、ＲＡＭ、ハードディスク等の記憶装置、入出力インタフェースや通信インタフェース等がシステムバスに接続されて構成されている。
【００２７】
次に、図２を参照し、イベント管理システムに含まれるデータベースの内容について説明する。
【００２８】
ライブ会場データベース５−２には、実際にイベントが行われるイベント会場に関する情報と、通信ネットワークを介して提供されるイベントを提供するネットライブ場に関する情報が記録されている。具体的には、イベント会場やネットライブ場毎に、その所在（会場の住所、連絡先、駅等からのアプローチ）、設備（スクリーン数、画面サイズ、Ｓ、Ａ、Ｂ等の座席クラスおよび各席数）、空塞状況（会場の開催スケジュール、指定席の予約状況）が含まれる。
【００２９】
イベント履歴データベース５−３には、過去に開催されたイベントに関する情報が記録されている。具体的には、イベント情報（イベントの内容すなわちコンテンツの名称、主催者、開催日時、実施会場）、統計（チケット購入者のトータル数、参加者の人数分布、年齢分布、参加地域分布）が含まれる。
【００３０】
会員データベース５−４には、本実施形態に係る全体システムによるサービスを使用可能な会員に関する情報が登録されている。この情報には、例えば会員固有の識別子（会員ＩＤ）、名前、年齢、住所、連絡先、これまでの利用サービス等の情報が含まれる。
【００３１】
イベント管理システム５内の処理装置５−１は図３に示すように、データ選択部１６０２、データ更新部１６０４、データ登録部１６０６、データ作成部１６０８、判定部１６１０、通信部１６１２を含んでいる。データ選択部１６０２は、外部から受信した処理要求に応答してライブ会場データベース５−２、イベント履歴データベース５−３および会員データベース５−４を検索し、要求に対応する情報を選択する。データ更新部１６０４は、ライブ会場データベース５−２、イベント履歴データベース５−３および会員データベース５−４に記録されたデータを更新する。データ登録部１６０６は、ライブ会場データベース５−２、イベント履歴データベース５−３および会員データベース５−４にデータを登録する。データ作成部１６０８は、データ登録部１６０６により登録すべきデータを作成する。判定部１６１０は、外部から受信したデータと、データ選択部１６０２により選択したデータとに基づいて、後述する判定処理（例えば、イベント主催者が希望するイベント会場およびネットライブ場が使用可能か否か、会員が希望する指定席に空席があるか否か等）を行う。通信部１６１２は、ＩＰ網４を介してデータの送受信を行う。上述した各構成要素は、処理装置５−１のＣＰＵが、ＲＯＭやハードディスク等に記憶されたプログラムのプログラムコードを読み出して実行することにより実施される。後述するイベント管理システム５により実行される処理は、図３に示す処理装置５−１内の各構成要素により達成されるものである。
【００３２】
会員端末６−１、６−２は、本実施形態に係るサービスを利用してチケットを購入し、イベントに参加する会員により使用される情報処理装置であり、これはＩＰ網４に接続されている。具体的には、会員端末６−１、６−２はパーソナル・コンピュータ（ＰＣ）、パームトップ・コンピュータ、ＰＤＡ（Ｐｅｒｓｏｎａｌ  Ｄｉｇｉｔａｌ  Ａｓｓｉｓｔａｎｔ）、携帯電話、ＰＨＳ等を使用することができる。会員端末６−１、６−２として携帯電話等の無線通信機能を有する情報処理端末が使用される場合、その会員端末は不図示の移動網およびゲートウェイを介してＩＰ網４と接続されることになる。
【００３３】
ＩＰ網４に接続されたイベント主催者システム７は、スポーツやコンサート、ライブ演奏等のイベントの主催者により使用される情報処理装置である。この情報処理装置の記憶装置には、イベント管理システム５から提供されるデータに基づき画像（Ｗｅｂページ）を表示するためのプログラムであるブラウザが格納されている。このような構成をとることにより、情報処理装置のＣＰＵは、格納されているブラウザをロードすることにより、イベント管理システム５へアクセスし、提供される情報を閲覧することができる。
【００３４】
次に、図４および図５を参照し、ネットライブ場システムおよびイベント会場システムの構成について説明する。
【００３５】
広帯域網１には、ネットライブ場システム３−１、３−２、３−３と、イベント会場システム２−１、２−２とが接続されている。これらの構成要素は、本発明に係るイベント実施システムの一例として示されている。イベント会場システム２−１、２−２は、実際にイベントが行われるイベント会場に設置されたシステムであり、図４に示すように、映像を撮影するためのカメラ３０６と、イベント会場内の音声を収集するマイク３０８と、入力された音声や映像を編集するためのミキサ３１０と、映像符号化装置３１１と、広帯域網１を介した通信を行うための通信装置３１２と、イベント会場管理端末３１４とを含んでいる。なお、通信装置３１２として、通信機能を有するパーソナル・コンピュータを使用することができる。映像を撮影するカメラ３０６としては、例えば財団法人ディジタルコンテンツ協会（ＤＣＡＪ）が開発したメガビジョンカメラや、オリンパス工業株式会社が開発した要項精細ディジタル動画カメラなどがある。
【００３６】
また、ＩＰ網４に接続されたパーソナル・コンピュータであるイベント会場管理端末３１４は、そのイベント会場で開催されるイベントを管理するために使用される。イベントの管理としては、例えば会場の指定席の管理を挙げることができる。この管理は、例えばイベント会場管理端末３１４内部に会場の観客席の各々が空席であるか確保されているかを示す情報を記憶し、これを更新することにより行われる。
【００３７】
イベント会場のステージ３０２や観客席３０４の映像はカメラ３０６により撮影され、電気信号に変換されてミキサ３１０に送られる。また、イベント会場内の音声はマイク３０８により選択され、電気信号に変換されてミキサ３１０に送られる。ミキサ３１０は、入力された映像および音声の信号をディジタル符号化するために映像符号化装置３１１に出力する。映像符号化装置３１１から、ディジタル化された映像・音声信号が通信装置３１２に出力される。通信装置３１２は、入力された信号を広帯域網１を介してネットライブ場システムへ送出する。このようにして、イベント会場で実際に行われているイベントの映像および音声をリアルタイムで発信する処理が実現される。
【００３８】
一方、ネットライブ場に設置されたネットライブ場システムは、図５に示すように、広帯域網１と接続するためのの通信装置３１、高精細映像を再生するための映像プロジェクタ装置３２、横１５ｍ×縦３ｍの大スクリーン３３、高品質音声を再生するための音声再生装置３４−１、３４−２、ＩＰ網４との接続を行うためのＩＰ網接続装置３５、ディジタル信号を復号化するための映像復号化装置３８、および該ＩＰ網接続装置に接続され、ネットライブ場で開催されるイベントの管理を行うためのパーソナル・コンピュータであるネットライブ場管理端末３７から構成される。
【００３９】
映像プロジェクタ装置３２としては、高精細（ＨＤ）クラスまたは超高精細（ＳＨＤ）クラスの映像を再生しスクリーンへ投影する機能を有するものが使用される。音声再生装置３４−１、３４−２は、スーパーオーディオのように、マルチチャネルを使って会場の音場を立体的に再現できる次世代オーディオ規格に準拠した装置が使用される。これら映像プロジェクタ装置３２および音声再生装置３４−１、３４−２が、本発明に係る再生装置として機能する。具体的には、再生装置は財団法人デジタルコンテンツ協会（ＤＣＡＪ）により開発されているメガビジョンシステムや、オリンパス工業株式会社のビジョンプレックスｒ等により構成される。
【００４０】
イベントの管理としては、例えば会場の指定席の管理を挙げることができる。この管理は、例えばネットライブ場管理端末３７内部に会場の観客席の各々が空席であるか確保されているかを示す情報を記憶し、これを更新することにより行われる。
【００４１】
イベント会場システムから広帯域網１を経由して送られてきた信号は、通信装置３１を通して映像復号化装置３８に送られる。映像復号化装置３３は、受け取った信号を復号化し、映像プロジェクタ装置３２に送信する。そして、この信号に含まれる高精細映像は映像プロジェクタ装置３２により再生され、大スクリーン３３に投影される。一方、イベント会場システムからの情報に含まれる高品質音声は音声再生装置３４−１、３４−２で臨場感ある音声として再生される。映像プロジェクタ装置３２は、高精細（ＨＤ）クラスまたは超高精細（ＳＨＤ）クラスの映像を３００〜６００インチのスクリーンに、１台のプロジェクタ（不図示）を用いて投影する。イベントの参加者は、２００〜３００席からなる観客席３６に座って、大スクリーン３３に投影された映像を観ることができ、また音声再生装置３４−１、３４−２から出力される音声を聴取することができる。
【００４２】
なお、複数のプロジェクタを使用して映像を再生し、臨場感を達成することとしてもよい。例えば、３台のプロジェクタを横に並べて投影してもよいし、あるいは縦２台×横２台に配置した合計４台のプロジェクタで投影する等の方法を使用してもよい。
【００４３】
次に、図６の通信シーケンスを参照し、本実施形態に係る全体システムの動作について説明する。本実施形態において、全体システムを用いたイベントの実施は、イベント登録フェーズ、チケット販売フェーズおよびライブ鑑賞フェーズという３つのフェーズからなる。以下、それぞれのフェーズについて説明する。
【００４４】
本実施形態において、イベント管理システムと他のコンピュータシステムとの間で行われるデータの送受信はＨＴＴＰプロトコルに準拠して行われる。この場合、イベント管理システム５にマークアップ言語で記載された所定のテキスト（マークアップテキスト）およびＣＧＩ等の処理プログラムが予め記憶される。そして、イベント管理システム５は各情報処理装置からのアクセスに応じて該情報処理装置にＷｅｂページを表示させる。各情報処理装置のオペレータは、ブラウザが有する周知の機能を用いて、Ｗｅｂページに備えられた所定の入力欄に必要な情報を入力し、あるいはＷｅｂページ上に備えられた所定のボタンを操作して、所望の情報をイベント管理システム５に送信する。イベント管理システム５は、受信した情報に基づいて処理プログラムを実行し、データベースの検索や選択、判定、更新等の処理を行う。
【００４５】
（１）イベント登録フェーズ
新たなイベントを企画したイベント主催者は、イベント主催者システム７を使用してイベント管理システム５にアクセスし、新たなイベントに関する情報を送信して、そのイベントをイベント管理システム５に登録する処理を行う（Ｓ１２０２）。
【００４６】
イベント管理システム５は、イベント主催者システム７から受信した要求に基づいて、新たなイベントを実施するためのイベント会場およびネットライブ場に関する情報をライブ会場データベース５−２から選択する。そして、ライブ会場データベース５−２内の該選択されたイベント会場およびネットライブ場に関する情報を更新し、イベント会場およびネットライブ場を確保する。そして、該当するイベント会場のイベント会場管理端末３１４、および該当するネットライブ場のネットライブ場管理端末３７に対して、会場が確保された旨および開催されるイベントの情報を通知する（Ｓ１２０４、Ｓ１２０５）。なお、この処理の詳細については後述する。
【００４７】
（２）チケット販売フェーズ
新たなイベントの開催は、会員に通知される。このイベントのチケットの購入を希望する会員は、会員端末６を使用してイベント管理システム５にアクセスし、チケットの予約または購入を要求する。この要求は、会員の識別情報（ＩＤ）、チケット予約のための希望条件（例えばイベントの開催日、指定席の種類等）を送信することにより行う（Ｓ１２０６）。イベント管理システム５は、受信した予約または購入の要求に基づいてライブ会場データベース５−２、イベント履歴データベース５−３および会員データベース５−４を検索し、会員の希望条件に合致するイベント会場の空席状況を会員端末６に通知する（Ｓ１２０８）。同図に示す例では、イベント管理システム５が複数のイベント会場およびネットライブ場に関する情報を送信して、イベント会場およびネットライブ場の提案を行っている。
【００４８】
会員は、提案された候補の中から所望のチケットを選択し、予約または購入を確定した旨の情報をイベント管理システム５へ送信する（Ｓ１２１０）。イベント管理システム６は、受信した情報に基づいて会員データベース５−４の該当会員の履歴に関する情報を更新する。同時に、ライブ会場データベース５−２内の予約状況を更新する。
【００４９】
同図において、会員はネットライブ場のチケットを予約している。イベント管理システム５は、該当するネットライブ場管理端末３７に情報を送信する。ネットライブ場管理端末３７は内部に記録された観客席についてのデータを更新し、購入者の座席を確保する（Ｓ１２１２）。
【００５０】
（３）ライブ鑑賞フェーズ
会員は上記の処理によりチケットを購入し、ネットライブ場に入場することができる。ネットライブ場では、イベント会場で行われているイベントの映像および音声がリアルタイムで再生され、会員は、この映像および音声を鑑賞することができる。
【００５１】
なお、イベント開始前に会員がチケットの変更を依頼する場合は、会員端末６からイベント管理システム５へチケットの変更に関する情報、例えば会員に関する情報、新たな会場および日時等を送信する（Ｓ１２１４）。イベント管理システム５はこの依頼に応答してライブ会場データベース５−２および会員データベース５−４を更新し、新たなイベント会場に関する情報を通知する（Ｓ１２１６）。
【００５２】
次に、図７〜図１０を参照し、本実施形態に係るイベント管理システムの動作について説明する。
【００５３】
イベント主催者が新規にコンサートのイベントを企画した場合、イベント主催者システム７からイベント管理システム５ヘアクセスして、新たなイベントに関する情報を入力する（図７のＳ４０２）。新たなイベントに関する情報は、開催スケジュールを含むイベントの内容、イベントの想定規模等を含むことができる。
【００５４】
そして、イベント会場およびネットライブ場を選定する。イベント主催者は、この選定方法として、イベント主催者システム７からイベント会場とネットライブ場とを指定する方法、またはイベント会場のみを指定可能としてネットライブ場はイベント管理システム５の選択に任せる方法、またはイベント会場およびネットライブ場ともにイベント管理システム５に任せる方法があり、いずれかを選択することができる（Ｓ４０４）。すなわち、イベント会場に関する情報またはネットライブ場の指定に関する情報を、新たなイベントに関する情報に含めるか否かは、イベント主催者システム７から選択可能である。選択処理は、イベント管理システム５がイベント主催者システム７に表示させるＷｅｂページに、イベント会場およびネットライブ場の選定方法を決めるための入力欄やオプションボタンを設けてこのＷｅｂページに対する操作を受け付けることにより行うことができる。
【００５５】
イベント主催者システム７からイベント会場とネットライブ場とを指定する方法が選択された場合は、図８のステップＳ５０２に移行し、イベント管理システム５の処理装置５−１は、イベント会場およびネットライブ場の指定の入力を受け付ける（Ｓ５０２）。次いで、ライブ会場データベース５−２を検索して、該新たなイベントを実施するためのイベント会場およびネットライブ場に関する情報をライブ会場データベースから選択する（Ｓ５０４）。そして、選択された開催スケジュールに基づき、指定されたイベント会場およびネットライブ場が開催日時に使用可能かを判定する（Ｓ５０６）。
【００５６】
その結果、イベント会場とネットライブ場が使用可能であれば、イベント主催者システム７ヘ、指定に基づくイベント会場とネットライブ場の使用予定の表示を行うことにより受付完了を通知し（Ｓ５０８）、図７のステップＳ４０６へ移行する。一方、イベント会場とネットライブ場が開催日時に使用不可能であれば、図７のステップＳ４１０へ移行する。
【００５７】
このようにして、新たなイベントに関する情報がイベント会場およびネットライブ場の指定に関する情報を含んでいる場合に、受信した新たなイベントに関する情報に基づき、該新たなイベントを実施するためのイベント会場およびネットライブ場に関する情報をライブ会場データベースから選択し、選択された開催スケジュールに基づき、受信されたネットライブ場が使用可能か否かを判定する処理が実現される。
【００５８】
また、図７のステップＳ４０４において、イベント会場のみを指定し、ネットライブ場はイベント管理システムの選択に任せる方法がイベント主催者システム７により選択された場合は図９のステップＳ６０２に移行し、イベント管理システム５の処理装置５−１はまずイベント会場の指定の入力を受け付ける。次いで、ライブ会場データベース５−２を検索して（Ｓ６０４）、指定されたイベント会場が開催日時に使用可能かを判定する（Ｓ６０６）。
【００５９】
その結果、イベント会場およびネットライブ場が使用可能であれば、次にイベント履歴データベース５−３の過去のイベント情報を検索し、イベント内容が近い過去のイベント情報を、新たなイベントに関連のある情報として選択する。次いで、選択された情報に含まれる実施会場、チケット購入者のトータル数、地域分布等を、イベント主催者システム７からの入力情報と比較し、最も適当と計算されたネットライブ場を選択する（Ｓ６０８）。選択されたネットライブ場の情報は、イベント主催者システムヘ通知され（Ｓ６１０）、図７のステップＳ４０６へ移行する。
【００６０】
一方、ステップＳ６０６の判定でイベント会場およびネットライブ場が開催日時に使用不可能であれば、図７のステップＳ４１０へ移行する。
【００６１】
このようにして、受信されたイベントに関する情報内にイベント会場の指定に関する情報が含まれている場合に、ライブ会場データベース５−２から選択された開催スケジュールに基づき、受信されたイベント会場が使用可能か否かを判定する処理が実現される。
【００６２】
更に、図７のステップＳ４０４において、イベント会場およびネットライブ場ともに該イベント管理システム５に任せる方法がイベント主催者システム７により選択された場合は、図１０のステップＳ７０２へ移行し、イベント管理システム５の処理装置５−１は、図７のステップＳ４０２でイベント主催者システム７から入力されたイベントの内容、想定規模・開催日時に基づいて、使用可能なイベント履歴データベース５−３の過去のイベント情報を検索し、イベント内容が近い過去のイベント情報を、新たなイベントに関連する情報として選択する（Ｓ７０３）。次いで、関連するイベント会場およびネットライブ場が開催日時に使用可能か判定する（Ｓ７０３）。
【００６３】
この判定の結果、関連するイベント会場およびネットライブ場が使用可能であれば、選択された過去のイベントの実施会場、チケット購入者のトータル数、地域分布等を入力情報と比較する。そして、比較の結果、最も適当と計算されたイベント会場およびネットライブ場を選択する（Ｓ７０４）。選択されたイベント会場およびネットライブ場に関する情報は、イベント主催者システム７へ通知される（Ｓ７０６）。
【００６４】
一方、開催日時にイベント会場とネットライブ場が使用不可能であれば、図７のステップＳ４１０へ移行する。
【００６５】
このようにして、受信された新たなイベントに関する情報に基づきイベント履歴データベースを検索して、新たなイベントと関連のある過去に実施されたイベントを判断し、判断されたイベントに対応するイベント会場およびネットライブ場に関する情報をライブ会場データベースから選択する処理が実現される。
【００６６】
イベント主催者システム７にイベント会場に関する情報が送信されてきたイベント主催者側では、選択されたライフイベント会場およびネットライブ場が適切かを判断して、適切であれば、会場決定の返事をイベント主催者システム７からイベント管理システム５へ返す。
【００６７】
イベント管理システム５ではこの返事を受信すると（図７のＳ４０６）、イベント開催日時に該当するイベント会場およびネットライブ場が使用される予定である旨をライブ会場データベース５−２に書き込む（Ｓ４０８）。
【００６８】
なお、図８のステップＳ５０６、図９のステップＳ６０６あるいは図１０のステップＳ７０３において、開催日時にイベント会場およびネットライブ場が使用不可能であれば、イベント管理システム５はその旨（会場ＮＧ）の返事をイベント主催者システム７へ返信する（Ｓ４１０）。
【００６９】
次に、図１１〜図１３を参照し、会員によるライブイベントのチケット購入処理について説明する。
【００７０】
会員は、広告等によりイベント開催を知ると、会員端末６からイベント管理システムへアクセスし、チケットを購入する。この場合、会員は、希望のイベント会場またはネットライブ場の希望の観客席を指定する方法、またはイベント管理システム５に会員に最適なイベント会場またはネットライブ場を提案させその中から選択する方法、またはイベント管理システム５にイベント会場またはネットライブ場の観客席の決定まで全て任せる方法から選択して、チケットの購入ができる（図１１のＳ８０２）。ここでの選択処理もまた、上述と同様に、イベント管理システム５に予め購入方式を選択するためのＷｅｂページを記述したマークアップテキストを用意しておき、このテキストに基づいて行うことができる。
【００７１】
会員が、希望のイベント会場またはネットライブ場の希望の観客席を指定する方法を選択した場合は図１２のステップＳ９０２に移行する。いま、会員はネットライブ場のＳ席（最適に鑑賞できる場所の席）を希望していると仮定する。イベント管理システム５は会員端末６からチケット購入を希望するイベントの情報、住所に近いネットライブ場のＳ席のチケット指定、および会員ＩＤの入力を受け付ける。イベント管理システム５はライブ会場データベース５−２からネットライブ場３−１のＳ席の予約状況を検索し（Ｓ９０４）、空席があるか判定する（Ｓ９０６）。ステップＳ９０６において、指定されたネットライブ場に空席があれば、その旨を会員端末６へ通知し（Ｓ９０８）、チケットの購入を受け付ける（Ｓ９１０）。この通知を受けて、会員端末６は、チケット購入を決定することができる。一方、空席がない場合は図１１のステップＳ８０６に移行する。
【００７２】
このようにして、受信した指定に対応する観客席に空席があるか否かを判定する処理が実現される。
【００７３】
また、図１１のステップＳ８０４において、会員がイベント管理システムに対し、会員に最適なイベント会場またはネットライブ場を提案させその中から選択する方法を選択した場合は、図１３のステップＳ１００２へ移行する。イベント管理システム５は会員端末６から会員ＩＤと指定席の種類の入力を受け付ける。ここで会員端末にＳ席のチケットの購入を希望する旨が入力された場合、イベント管理システム５は会員データベース５−４から会員の住所を検索し（Ｓ１００４）、ライブ会場データベース５−２からＳ席に空きがありかつ会員の住所に最も近いネットライブ場を選択する（Ｓ１００６、１００８）。そのようなネットライブ場があればステップＳ１０１０へ移行して選択されたネットライブ場の情報を会員端末６へ送信して、候補として提案する。次いで、チケット購入を受け付ける（Ｓ１０１２）。会員は会員端末６に表示される提案の内容を閲覧し、その席でよければ、チケットの購入を決定する旨の情報を会員端末６からイベント管理システム５へ送信する。一方、ステップＳ９０６の判定処理において、空席がないと判定された場合は図１１のステップＳ８０６に移行する。
【００７４】
このようにして、受信した予約または購入の要求にイベント会場またはネットライブ場の提案の要求が含まれている場合、選択された会員情報に基づき、ライブ会場データベース５−４から複数のイベント会場またはネットライブ場を選択し、選択された複数のイベント会場またはネットライブ場に関する情報を送信する処理が実現される。
【００７５】
また、会員が、イベント管理システムにライブイベント会場またはネットライブ場の観客席の決定まで全て任せる方法を選択した場合は図１４のステップＳ１１０２へ移行し、イベント管理システム５は会員ＩＤの入力を受け付ける。イベント管理システム５は受け付けられた会員情報に基づいて会員データベース５−４を検索し、該当する会員について住所等の情報を選択する。次いで、ライブ会場データベースを検索し（Ｓ１１０６）、空席があるか否かを判定し（Ｓ１１０７）、最も空きのあるネットライブ場の最も空きの多いＢ席のひとつを選択して会員端末６へ通知する（Ｓ１１０８）。次いで、会員端末６からチケット購入を決定する旨の情報を受け付ける（Ｓ１１１０）。一方、ステップＳ１１０７の判定処理において空席がないと判定された場合は、図１１のステップＳ８０６へ移行する。
【００７６】
このようにして、受信した予約または購入の要求に基づいて会員データベースから対応する会員に関する情報を選択し、選択された会員に関する情報に基づきライブ会場データベースからライブイベント会場またはネットライブ場を選択する処理が実現される。
【００７７】
なお、図１２のステップＳ９０６、図１３のステップＳ１００８、図１４のステップＳ１１０７の判定処理において空席がないと判定された場合、イベント管理システム５は、空席ができた場合にはチケットを購入するか否かを質問するための情報を会員端末６に表示させる（図１１のステップＳ８０６）。会員端末６がこの問い合わせに応答し、購入を希望した場合はステップＳ８０８へ移行して、この会員を待ち会員として登録する。この登録処理は、会員データベース５−４内の会員に関する情報に、待ち会員を示すフラグを予め定義しておき、該当する会員についてこのフラグの値を設定すること等により実現される。
【００７８】
イベント管理システム５は、イベント会場管理端末３１４またはネットライブ場管理端末３７により更新されるライブ会場データベース５−２の予約状況を定期的に参照し、該当する観客席が空席になったかどうかを確認する（Ｓ８１０）。そして、空席ができた場合は該当する会員端末６へ空席ができたことを通知する（Ｓ８１２）。この通知および受付は、例えば電子メール等により行うことができる。この通知を受けた会員が購入処理を開始する場合は（ステップＳ８１４）、会員端末６を使用して図１１に示される購入処理を開始することになる。
【００７９】
また、会員が、出張等の都合で購入したチケットのネットライブ場へ行けない場合は、会員端末６からイベント管理システム５ヘアクセスし、出張先で最も近いネットライブ場への変更希望を入力する。イベント管理システム５ではライブ会場データベース５−２から変更希望に合うネットライブ場に空席があるかを検索し、空席があれば変更を受け付ける。
【００８０】
（第２実施形態）
チケットの予約受付または販売開始後に、あるネットライブ場へのチケットの予約状況に応じて、そのネットライブ場に最も近い場所のネットライブ場を新規に開設し、イベント管理システム５から該当するネットライブ場のチケットを予約または購入した会員端末６へ、新規にネットライブ会場が開設されたを知らせることとしてもよい。
【００８１】
イベント管理システム５は、ライブ会場データベース５−２に記録されたネットライブ場に関する情報を参照したときに、あるネットライブ場へのチケット予約および販売が多い場合、新たなネットライブ場に関する情報を作成する。ここで、ライブ会場データベース５−２を参照するタイミングは会員端末６からの要求に応じてライブ会場データベース５−２を検索するときでもよく、あるいは定期的に参照を行うこととしてもよい。
【００８２】
次いで、イベント管理システム５は、作成されたネットライブ場に関する情報をライブ会場データベース５−２に登録する。この登録処理が行われた後、新たなネットライブ場の開設を会員端末６へ通知する。
【００８３】
図１５は本実施形態により奏する効果の一例を示す図である。実イベント会場１０は、実際にイベント開催される実ステージ、Ｓ席、Ａ席、Ｂ席から構成される。仮想的なライブ会場であるネットライブ場１２は、上述した大スクリーンを備えたネットライブ場の観客席（ＶＳ席）、大スクリーンより小規模なスクリーン（大型簡易画面）を備えたネットライブ場の観客席（ＶＡ席）、イベント会場からの映像および音声が配信される会員の携帯端末（ＶＢ席）から構成される。
【００８４】
ライブステージの周りにライブ会場のＳ席、Ａ席、Ｂ席が決められているが、いずれにしろ鑑賞できるのはライブ会場のみであり、その数はかなり限定される。一方、ネットライブ場は複数設置可能であり、ネットライブ場の中でＶＳ席、ＶＡ、ＶＢ席は必要に応じて増やすことができるので、従来の観客動員数および収入を大幅に増加させることができる。
【００８５】
以上、本発明の好適な実施の形態について説明したが、本発明は上述の形態に限らず、他の種々の形態でも実施が可能であることはいうまでもない。例えば、イベント主催者または会員端末と、イベント管理システムとの間で行われる情報の送受信は、電子メールやＦＡＸ等の他の通信手段、あるいはそれらの組み合わせであってもよい。
【００８６】
更に、以上述べた形態以外にも種々の変形が可能である。しかしながら、特許請求の範囲に記載された技術思想に基づくものである限り、その変形は本発明の技術範囲内となる。
【００８７】
【発明の効果】
以上説明したように、本発明によれば、イベントを鑑賞したい会員は実際にイベント会場まで行かなくても、自宅近くまたは出張先のネットライブ場でイベント会場と同じような臨場感でイベントを鑑賞できる利点がある。
【００８８】
また、イベント主催者側においては、実際のイベント会場の観客だけでなく、ネットライブ場での観客へチケットを販売でき、利益を上げることができる利点がある。
【図面の簡単な説明】
【図１】本発明を適用した全体システムの構成を示すブロック図である。
【図２】イベント管理システムに含まれるデータベースの内容を示す図である。
【図３】本発明の実施形態に係るイベント管理システムの機能構成を示すブロック図である。
【図４】イベント会場システムの構成を示すブロック図である。
【図５】ネットライブ会場システムの構成を示すブロック図である。
【図６】本発明の実施形態に係る全体システムにおける通信シーケンス図である。
【図７】本発明の実施形態に係るイベント管理システムの動作を示すフローチャートである。
【図８】本発明の実施形態に係るイベント管理システムの動作を示すフローチャートである。
【図９】本発明の実施形態に係るイベント管理システムの動作を示すフローチャートである。
【図１０】本発明の実施形態に係るイベント管理システムの動作を示すフローチャートである。
【図１１】本発明の実施形態に係るイベント管理システムの動作を示すフローチャートである。
【図１２】本発明の実施形態に係るイベント管理システムの動作を示すフローチャートである。
【図１３】本発明の実施形態に係るイベント管理システムの動作を示すフローチャートである。
【図１４】本発明の実施形態に係るイベント管理システムの動作を示すフローチャートである。
【図１５】本発明の実施形態により奏する効果の一例を示す図である。
【符号の説明】
１  広帯域網
１０  イベント会場
１２  ネットライブ場
２−１、２−２  イベント会場システム
３−１、３−２、３−３  ネットライブ場システム
３１  通信装置
３２  映像プロジェクタ装置
３３  大スクリーン
３４−１、３４−２  音声再生装置
３５  ＩＰ網接続装置
３６  観客席
３７  ネットライブ場管理端末
３８  映像復号化装置
３０２  ステージ
３０４  観客席
３０６  カメラ
３０８  マイク
３１０  ミキサ
３１１  映像符号化装置
３１２  通信装置
３１４  イベント会場管理端末
４  ＩＰ網
５  イベント管理システム
５−１  処理装置
５−２  ライブ会場データベース
５−３  イベント履歴データベース
５−４  会員データベース
６−１、６−２  会員端末
７  イベント主催者システム
１６０２  テータ選択部
１６０４  データ更新部
１６０６  データ登録部
１６０８  データ作成部
１６１０  判定部
１６１２  通信部
【図１】
2004336175.tif 000003
【図２】
2004336175.tif 000004
【図３】
2004336175.tif 000005
【図４】
2004336175.tif 000006
【図５】
2004336175.tif 000007
【図６】
2004336175.tif 000008
【図７】
2004336175.tif 000009
【図８】
2004336175.tif 000010
【図９】
2004336175.tif 000011
【図１０】
2004336175.tif 000012
【図１１】
2004336175.tif 000013
【図１２】
2004336175.tif 000014
【図１３】
2004336175.tif 000015
【図１４】
2004336175.tif 000016
【図１５】
2004336175.tif 000017